(57)【要約】  【課題】長靴やブーツなどの筒部の頂部付近を内側からしっかりと突っ張るようにして保形できるようにした長靴用保形具を提供しようとするものである。【解決手段】シート材料からなり長靴筒内部に略収まる高さの一対の縦型保形片１、２と、この縦型保持片と交叉しかつ着脱可能に咬合しうる複数の横型保形片３、４、５、６とからなり、前記縦型保形片１、２と横型保形片３、４、５、６の咬合によって立体形状に組み立て、長靴筒内部の形状を内側より保形しうるようにしたことを特徴とする。【選択図】 図１
0003177451.tif 000002
【実用新案登録請求の範囲】
【請求項１】
シート材料からなり長靴筒内部に略収まる高さの一対の縦型保形片と、この縦型保持片と交叉しかつ着脱可能に咬合しうる複数の横型保形片とからなり、前記縦型保形片と横型保形片の咬合によって立体的に組み立て、長靴筒内部の形状を内側より保形しうるようにしたことを特徴とする長靴用保形具。
【請求項２】
前記縦型保形片に対し前後方向より横型保形片を咬合させるようにしたことを特徴とする請求項1記載の長靴用保形具。
【請求項３】
前記縦型保形片に対し上縁位置に補助保形片を咬合させるようにしたことを特徴とする請求項1又は請求項２記載の長靴用保形具。
【請求項４】
前記横型保形片の長靴筒内部に接する箇所を曲線状に構成したことを特徴とする請求項1ないし請求項３のいずれかに記載の長靴用保形具。
【請求項５】
前記横型保形片の長靴筒内部に接する箇所に折曲げができる延出部を形成したことを特徴とする請求項１ないし請求項３のいずれかに記載の長靴用保形具。
【請求項６】
前記縦型保形片の下端に高さ調整のための折曲げ可能な追加部を連接したことを特徴とする請求項1ないし請求項５のいずれかに記載の長靴用保形具。
【考案の詳細な説明】
【技術分野】
【０００１】
本考案は、長靴やブーツのように筒が長い履物に供するものであって、輸送中などに発生する型崩れを防止するために使用する長靴用保形具に関するものである。
【背景技術】
【０００２】
ゴムからなる長靴や各種素材からなるブーツは、脚部に相当する筒部を備えているため、輸送中や展示の際などに筒部が撓んだり折れ曲がったりすることが起こり易く、これが商品価値を低下させることがあった。  
【０００３】
このため、古くからこの筒内部に収納させて保形をする保形具が用いられている。例えば特許文献１に開示された長靴用保形芯は、ほぼ扇状の平板の一方縁に突片を、また他方縁には突片が係合する複数の透孔を設け、これを筒形に固定して長靴筒部に収納して用いるようになっている。
【先行技術文献】
【特許文献】
【０００４】
【特許文献１】実開昭６２−１６３０６号公報
【考案の概要】
【考案が解決しようとする課題】
【０００５】
ところが、上述した特許文献１の保形芯は、厚紙などで作られ円筒状に固定して使用するもので、長靴筒内部を全周にわたり内側から保形するものである。しかし全周内側に保形芯が接してもこの形態を保持する支えがないため、外から力が加わったりすると保形芯が変形してしまい十分な保形が出来なくなってしまうことがあった。また、この保形芯一つでは筒部の高さが異なる長靴には使用できない面もあった。
最近は、長靴などの内容積に見合う形状に膨らませたプラスチック成形品を筒内部に収納して用いることが普及している。ところが、このようなプラスチック成形品からなる保形具は、保形効果は高いものの、成形設備やサイズ毎の金型を用意するなどの投資が必要となり、また使用後にはプラスチック塵となるため、この回収、処分や再利用の問題が残ることが懸念されている。
【課題を解決するための手段】
【０００６】
本考案は、このような問題点を解消するため、この種履物筒部の頂部付近を内側からしっかりと突っ張るようにして保形効果を高めた保形具を提供しようとするもので、その要旨とするところは、シート材料からなり長靴筒内部に略収まる高さの一対の縦型保形片と、この縦型保持片と交叉しかつ着脱可能に咬合しうる複数の横型保形片とからなり、前記縦型保形片と横型保形片の咬合によって立体的に組み立て、長靴筒内部の形状を内側より保形しうるようにしたことを特徴とする長靴用保形具にある。
【０００７】
また本考案は、前記縦型保形片に対し前後方向より横型保形片を咬合させるようにしたことを特徴とし、さらに前記縦型保形片に対し上縁位置に補助保形片を咬合させるようにしたことも特徴とするものであり、前記横型保形片の長靴筒内部に接する箇所を曲線状に構成したことも特徴とするものである。さらにまた本考案は、前記横型保形片の長靴筒内部に接する箇所に折曲げができる延出部を形成したことを特徴とし、また前記縦型保形片の下端に高さ調整のための追加部を連接したことを特徴とするものである。
【考案の効果】
【０００８】
本考案は、上述したような構成からなるものであるから、本考案の保形具を立体的に組み立てて使用した場合、長靴筒部の内側より突っ張った状態で保形できるため、安定よく筒部形態を保形することができる利点を有しており、この保形具を使用することによる重量増加を殆ど起すことがなく、また使用する前は分解した状態で、略平面状に保管することができ、実用効果が高いものである。
【０００９】
また、前記縦型保形片に対し前後方向より横型保形片を咬合させるようにしたときは、長靴を前後方向から突っ張って保持することができて有利であり、前記縦型保形片に対し上縁位置に補助保形片を咬合させるようにしたときは、変形を受け易い長靴の履き口部分をさらに保形できるため有効である。
さらに前記横型保形片の長靴筒内部に接する箇所を曲線状にしたり、前記横型保形片の長靴筒内部に接する箇所に折り曲げができる延出部を形成したときは、横型保形片の長靴筒内部に曲線で接して突っ張ることができるため、型跡が残ったりすることがない。さらに延出部を形成したときは、曲線状に折り曲げることによって、長靴筒の太さに応じて若干の調整もできる利点がある。しかも前記縦型保形片の下端に高さ調整のための追加部を連接したときは、追加部を折り曲げて筒部が短い高さの長靴に収納して使用することができる利点がある。
【図面の簡単な説明】
【００１０】
【図１】本考案長靴保形具の一実施例を示し、組み立てて保形具として使用する状態を示す斜視図である。
【図２】同じく長靴保形具を組み立てる前の状態を示す斜視図である。
【図３】この例の長靴保形具を長靴の筒部に収納して保形に使用している状態を示す部分断面図である。
【図４】本考案の別の例を示す図１に相当する斜視図である。
【図５】本考案の別の例に用いる横型保形片を示す斜視図である。
【図６】本考案のさらに別の例に用いる横型保形片を示す斜視図である。
【図７】本考案の別の例に用いる縦型保形片を示す正面図である。
【考案を実施するための形態】
【００１１】
以下、本考案の実施形態を図面に基づいて説明する。
図１ないし図３は、本考案の一実施例を示すもので、図１は保形具を組み立てた状態を示し、図２は組み立てる前の状態を示し、さらに図３は長靴に収納して使用している状態を示すものである。
図において１及び２が長靴Ｂの筒部内に略収まる高さであって一対をなす縦型保形片で、咬合する箇所には差し込み溝１Ａ、１Ｂ、１Ｃ、１Ｄ及び２Ａ、２Ｂ、２Ｃ、２Ｄがそれぞれ設けられている。また図中３ないし６が横型保形片を示しており、これらは略同形の半月状を呈しており、長靴筒部内側に接する面は曲線状となっている。そしてこれらの咬合する箇所に、差し込み溝３Ａと３Ｂ、４Ａと４Ｂ、５Ａと５Ｂ、６Ａと６Ｂとがそれぞれ設けられている。
【００１２】
そしてこれを図２の状態から図１の状態に組み立てて保形具とするときは、縦型保形片１、２を所定の間隔に保持し、例えば縦型保形片１、２の差し込み溝１Ａに１Ｂに、横型保形片３の差し込み溝３Ａに３Ｂに差し込み、順次同様にして残りの横型保形片４，５，６を縦型保形片１,２の対応する箇所の溝に差し込んで咬合させ、最終的に図１のように立体的に組み立てることにより、本考案の長靴保形具とすることができる。
【００１３】
以上のように構成された本考案の長靴保形具を使用するには、この保形具を図３に示すように長靴Ｂの内部に嵌め込みながら、全体を収納させる。
この状態になると、縦型保形片１、２は略長靴内に収納され、これに支えられた４つの横型保形片３、４、５、６が、長靴内部の４箇所において突っ張り、内側より長靴Ｂを保形できることになる。
この例においては、横型保形片３、４、５、６が長靴Ｂの前後方向より突っ張り、このうちの横型保形片３と５は、これが履き口近傍位置にあるため、履き口付近の形態も安定させることができる。
【００１４】
上記実施例で示した縦型保形片１、２及び横型保形片３ないし６は、立体形状に組み立てて長靴内部に収納できて、内側より保形できるものであれば、この例に示したものに限られず、その形状、大きさ、使用する枚数を適宜目的に合ったものを選ぶことができる。  
本考案に使用するシート材料としては、簡単に入手できしかも容易に屈曲させることが可能な紙やプラスッチクシートが使用できるが、このうちダンボール紙を使用するときは、軽量で丈夫でありかつ適度の厚みを有していることから、折り曲げる場合にその折曲げ線が形成しやすく好ましいものである。
そして本考案では、図２に示す保形具の各片をシート材料から裁断機やプレス機を用いて形成することができ、使用する前ではこれらを平面状態で保管すし、使用の際に手作業により簡単に組み立てて使用できるため便利である。
【００１５】
以上本考案の一実施例に基づく態様について説明したが、本考案は、種々の変形が可能である。
その一つとしては、図４に示すように、図１の実施例における縦型保形片１、２の上縁位置に、これとは略直交する補助保形片７を併用した態様の保形具も採用できる。この補助保形片７の咬合は、上記実施例と同様に、所定位置に設けた咬合のための差し込み溝を予め設けておくことで用いることができる。
この例の保形具は、補助保形片７が長靴筒内部部に収納した際、長靴の履き口部に位置することとなり、この部分の保形効果を一層高めることができる利点がある。  
【００１６】
次の図５に示す例は、上記図４の例に使用する補助保形片７の両端が曲線状になるように折り曲げ可能な延出部７Ａ，７Ｂを形成したものである。このようにして折り曲げると、長靴筒内部内側に補助保形片７が突っ張る際、長靴に曲線の面が当接するため、型跡などができず好ましい。この延出部７Ａ、７Ｂを形成したときは、曲線状に折り曲げることによって、長靴筒の太さに応じて若干の調節ができる利点がある。
【００１７】
図６に示す例は、横型保形片の別の例を示し、先の図１及び図２に使用された２つの横型保形片５、６を上下方向に折り曲げて曲線部としかつ細幅とした連結部８Ｃで繋いだ状態の横型保形片８を示している。なお図中８Ａ、８Ｂ、８Ｃ、８Ｄは、差し込み溝を示し、これを縦型保形片１，２の差し込み溝１Ｃ，１Ｄ及び２Ｃ、２Ｄに咬合すればよい。
このようにすると、長靴筒部内側に曲線の面が当接するようになり好ましく、また部材の点数を減らすことも可能となる。
【００１８】
さらに図７は、本考案に用いる縦型保形片の変形例の一方を示しており、一対の縦型保形片の下端に折り曲げが可能な追加部９Ｅを連接した縦型保形片９を示している。この追加部９Ｅは、図の点線で示すように折り曲げできるよう浅い溝が設けてあるので、使用する長靴の筒部に略収納するよう高さを合わせて、例えば山折りなどに折り曲げることで使用することができる。この場合の追加部９Ｅには、折り曲げに便利なように指示線を印刷しておくことでもよい。
このようにすることによって、筒部の高さの小さい長靴にも適用させることができる。
【符号の説明】
【００１９】
Ｂ                          長靴
１、２                      縦型保形片
３、４、５、６、７、８      横型保形片
【図１】
0003177451.tif 000003
【図２】
0003177451.tif 000004
【図３】
0003177451.tif 000005
【図４】
0003177451.tif 000006
【図５】
0003177451.tif 000007
【図６】
0003177451.tif 000008
【図７】
0003177451.tif 000009